【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
情報提供サーバ装置と、当該情報提供サーバ装置に対して通信可能であり、各ユーザがそれぞれ所持する端末装置とを備えた情報提供システムであって、
前記情報提供サーバ装置は、
各場所について、ユーザが訪れるべき場所の順を場所ＩＤにて示す情報と、ユーザが各場所に位置するか否かを判断するための回答情報と、各ユーザがたどりついた場所を場所ＩＤにて示すポインタ情報と、各場所に対応付けられた情報ＩＤとを記述した管理テーブルおよび、各場所に対応付けられた次に訪れるべき場所に関する提供情報を記録した提供情報データベースを記録しており、
前記端末装置は、
ユーザによる情報ＩＤおよび回答情報の入力を受けて、当該情報ＩＤおよび回答情報を情報提供サーバ装置に送信する手段と、
情報提供サーバ装置から受信した次に訪れるべき場所に関する提供情報および次に入力すべき情報ＩＤを出力する手段とを備え、
前記情報提供サーバ装置は、
端末装置からの情報ＩＤおよび回答情報を受けて、前記管理テーブルに記録された当該ユーザのポインタ情報に基づいて、当該ユーザが訪れるべき場所を特定し、当該場所に対応して記録された回答情報が、端末装置からの回答情報と合致するか否か、および、当該場所に対応して記録された情報ＩＤが、端末装置からの情報ＩＤと合致するか否かを判断する手段と、
前記回答情報および前記情報ＩＤが合致すると判断した場合に、前記管理テーブルおよび前記提供情報データベースに基づいて、当該ユーザが次に訪れるべき場所を特定し、当該場所に対応して記録された情報ＩＤおよび場所に関する提供情報を取得して端末装置に送信する手段と、
を備えたことを特徴とする情報提供システム。
【請求項２】
端末装置と通信可能に設けられた情報提供サーバ装置であって、
各場所について、ユーザが訪れるべき場所の順を場所ＩＤにて示す情報と、ユーザが各場所に位置するか否かを判断するための回答情報と、各ユーザがたどりついた場所を場所ＩＤにて示すポインタ情報と、各場所に対応付けられた情報ＩＤとを記述した管理テーブルおよび、各場所に対応付けられた次に訪れるべき場所に関する提供情報を記録した提供情報データベースを記録しており、
端末装置からの情報ＩＤおよび回答情報を受けて、前記管理テーブルに記録された当該ユーザのポインタ情報に基づいて、当該ユーザが訪れるべき場所を特定し、当該場所に対応して記録された回答情報が、端末装置からの回答情報と合致するか否か、および、当該場所に対応して記録された情報ＩＤが、端末装置からの情報ＩＤと合致するか否かを判断する手段と、
前記回答情報および前記情報ＩＤが合致すると判断した場合に、前記管理テーブルおよび前記提供情報データベースに基づいて、当該ユーザが次に訪れるべき場所を特定し、当該場所に対応して記録された情報ＩＤおよび場所に関する提供情報を取得して端末装置に送信する手段と、
を備えたことを特徴とする情報提供サーバ装置。
【請求項３】
請求項１の情報提供システムにおいて、
前記情報提供サーバ装置は、前記提供情報データベースに、回答情報に対応する質問情報を記録しており、
前記情報提供サーバ装置は、端末装置からの情報ＩＤを受けて、前記提供情報データベースに基づいて前記情報ＩＤに対応した質問情報を取得し、当該取得した質問情報を前記端末装置に送信する手段をさらに備えたことを特徴とするもの。
【請求項４】
請求項１または３の情報提供システムにおいて、
前記情報提供サーバ装置は、前記提供情報データベースに、情報ＩＤに対応付けたポイント数を記録しており、
前記端末装置は、ユーザＩＤを送信する手段をさらに備え、
前記情報提供サーバ装置は、端末装置からのユーザＩＤを受けて、前記提供情報データベースに基づいて前記情報ＩＤに対応したポイント数を取得し、当該取得したポイント数を前記ユーザＩＤに対応付けて記録する手段をさらに備えたことを特徴とするもの。
【請求項５】
請求項１、３または４の情報提供システムにおいて、
端末装置は、データの表示および送受信が可能な携帯電話であることを特徴とするもの。
【請求項６】
請求項２の情報提供サーバ装置において、
提供情報データベースに、回答情報に対応付けた質問情報を記録しており、
端末装置からの情報ＩＤを受けて、前記提供情報データベースに基づいて前記情報ＩＤに対応した質問情報を取得し、当該取得した質問情報を前記端末装置に送信する手段をさらに備えたことを特徴とするもの。
【請求項７】
請求項２または６の情報提供サーバ装置において、
提供情報データベースに、情報ＩＤに対応付けたポイント数を記録しており、
端末装置からのユーザＩＤを受けて、前記提供情報データベースに基づいて前記情報ＩＤに対応したポイント数を取得し、当該取得したポイント数を前記ユーザＩＤに対応付けて記録する手段をさらに備えたことを特徴とするもの。
【請求項８】
請求項２、６または７の情報提供サーバ装置において、
端末装置は、データの表示および送受信が可能な携帯電話であることを特徴とするもの。
【請求項９】
情報提供サーバ装置と、当該情報提供サーバ装置に対して通信可能であり、各ユーザがそれぞれ所持する端末装置とを用いた情報提供方法であって、
前記情報提供サーバ装置は、
各場所について、ユーザが訪れるべき場所の順を場所ＩＤにて示す情報と、ユーザが各場所に位置するか否かを判断するための回答情報と、各ユーザがたどりついた場所を場所ＩＤにて示すポインタ情報と、各場所に対応付けられた情報ＩＤとを記述した管理テーブルおよび、各場所に対応付けられた次に訪れるべき場所に関する提供情報を記録した提供情報データベースを記録しており、
前記端末装置は、
ユーザによる情報ＩＤおよび回答情報の入力を受けて、当該情報ＩＤおよび回答情報を情報提供サーバ装置に送信するステップと、
情報提供サーバ装置から受信した次に訪れるべき場所に関する提供情報および次に入力すべき情報ＩＤを出力するステップとを備え、
前記情報提供サーバ装置は、
端末装置からの情報ＩＤおよび回答情報を受けて、前記管理テーブルに記録された当該ユーザのポインタ情報に基づいて、当該ユーザが訪れるべき場所を特定し、当該場所に対応して記録された回答情報が、端末装置からの回答情報と合致するか否か、および、当該場所に対応して記録された情報ＩＤが、端末装置からの情報ＩＤと合致するか否かを判断するステップと、
前記回答情報および前記情報ＩＤが合致すると判断した場合に、前記管理テーブルおよび前記提供情報データベースに基づいて、当該ユーザが次に訪れるべき場所を特定し、当該場所に対応して記録された情報ＩＤおよび場所に関する提供情報を取得して端末装置に送信するステップと、
を備えたことを特徴とする情報提供方法。
【手続補正２】
【補正対象書類名】明細書
【補正対象項目名】００３９
【補正方法】変更
【補正の内容】
【００３９】
(14)この発明にかかる情報提供方法、情報提供システムまたは情報提供サーバ装置において、  前記情報提供サーバ装置は、  各場所について、ユーザが訪れるべき場所の順を場所ＩＤにて示す情報と、ユーザが各場所に位置するか否かを判断するための回答情報と、各ユーザがたどりついた場所を場所ＩＤにて示すポインタ情報と、各場所に対応付けられた情報ＩＤとを記述した管理テーブルおよび、各場所に対応付けられた次に訪れるべき場所に関する提供情報を記録した提供情報データベースを記録しており、  前記端末装置は、  ユーザによる情報ＩＤおよび回答情報の入力を受けて、当該情報ＩＤおよび回答情報を情報提供サーバ装置に送信する手段と、  情報提供サーバ装置から受信した次に訪れるべき場所に関する提供情報および次に入力すべき情報ＩＤを出力する手段とを備え、  前記情報提供サーバ装置は、  端末装置からの情報ＩＤおよび回答情報を受けて、前記管理テーブルに記録された当該ユーザのポインタ情報に基づいて、当該ユーザが訪れるべき場所を特定し、当該場所に対応して記録された回答情報が、端末装置からの回答情報と合致するか否か、および、当該場所に対応して記録された情報ＩＤが、端末装置からの情報ＩＤと合致するか否かを判断する手段と、  前記回答情報および前記情報ＩＤが合致すると判断した場合に、前記管理テーブルおよび前記提供情報データベースに基づいて、当該ユーザが次に訪れるべき場所を特定し、当該場所に対応して記録された情報ＩＤおよび場所に関する提供情報を取得して端末装置に送信する手段と、  を備えたことを特徴としている。
また、情報提供サーバ装置は、提供情報データベースに、回答情報に対応する質問情報を記録しており、  前記情報提供サーバ装置は、端末装置からの情報ＩＤを受けて、前記提供情報データベースに基づいて前記情報ＩＤに対応した質問情報を取得し、当該取得した質問情報を前記端末装置に送信する手段をさらに備えたことを特徴としている。
【手続補正３】
【補正対象書類名】明細書
【補正対象項目名】００４０
【補正方法】変更
【補正の内容】
【００４０】
したがって、ユーザ自身の所有する端末装置を用いて、複数の場所を探索するクイズラリーを行わせることができる。例えば、一人のユーザを移動させながら当該ユーザの端末装置から情報提供サーバ装置にアクセスさせることができる。なお、場所に関する回答に基づいてユーザが所定の場所にいることを確認することができる。これにより、移動することに伴う娯楽性を持たせつつ情報提供システムを利用させることができる。